(57)【要約】【課題】安価な構成で、室外熱交換器内部に凝縮した液冷媒が完全に溜まりこむのを防止できる多室形空気調和機を提供する。【解決手段】１台の室外機２と、室外機２に冷媒配管３を介して接続された複数の室内機４ａ、４ｂから構成された多室形空気調和機において、室外機２は、能力可変型の圧縮機６と、四方弁７と、室外熱交換器１０と、室外熱交換器１０の温度を検出する室外熱交換器温度センサー１１と、室外熱交換器１０の出口の温度を検出する室外熱交換器出口温度センサー１２を備え、冷房運転時、所定の時間が経過した後、室外熱交換器１０の温度と出口温度との差が所定の値以下である場合、一時的に圧縮機６の周波数を増大させるもので、安価な構成で、室外熱交換器１０内に一定時間、余剰冷媒を溜め込むことを許容しつつ、室外熱交換器１０内部に凝縮した液冷媒が完全に溜まりこむことを回避できる。【選択図】図１
2010101569.tif 000002
【特許請求の範囲】
【請求項１】
１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーを備え、冷房運転時、所定の時間が経過した後、前記室外熱交換器の温度と出口温度との差が所定の値以下である場合、一時的に前記圧縮機の周波数を増大させるようにした多室形空気調和機。
【請求項２】
１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、冷房運転時、低外気温度状態であるかどうかを判断し、液冷媒が溜まりこんでいるかどうかを判断する所定の値を、通常運転時の所定の値と区別して判断し、一時的に前記圧縮機の周波数を増大させるようにした多室形空気調和機。
【請求項３】
１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、冷房運転時、所定の時間が経過した後、前記室外熱交換器の温度と出口温度との温度差が所定の値以下である場合、前記室外熱交換器の温度と前記出口温度を監視し、これらが両方とも下がり傾向にある場合、一時的に前記圧縮機の周波数を増大させる機能を備えた多室形空気調和機。
【請求項４】
１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、前記室内機のそれぞれは、室内熱交換器と、前記室内熱交換器の温度を検出する室内熱交換器温度センサーと、前記室内熱交換器の出口の温度を検出する室内熱交換器出口温度センサーを備え、冷房運転時、所定の時間が経過した後、前記室外熱交換器の温度と室外熱交換器の出口温度との差が所定の値以下であり且つ、前記室内熱交換器の温度と前記室内熱交換器の出口温度との差が所定の値以上である場合、前記室内熱交換器温度と前記室内熱交換器の出口温度の差を監視し、前記温度差が上がり傾向にある場合、一時的に前記圧縮機の周波数を増大させるようにした多室形空気調和機。
【請求項５】
１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、冷房運転起動時、外気温度が所定の値以下であり、且つ、運転台数と室内負荷から算出される圧縮機周波数が所定の値以下である場合、前記圧縮機の周波数を所定の値より大きい値に補正して起動させるようにした多室形空気調和機。
【発明の詳細な説明】
【技術分野】
【０００１】
本発明は、１台の室外機に複数の室内機を接続してなる多室形空気調和機に関するものである。
【背景技術】
【０００２】
複数の室内機を備えた従来の多室形空気調和機においては、１室のみ冷房運転を行なうような場合に、冷凍サイクルを最適化する手段として、１室分の室内機の蒸発能力に応じて、室外ファン回転数を下げて凝縮性能を低下させたり、圧縮機周波数を下げたりするが、低外気温度時の場合には、それでも室外の凝縮能力が過大となり、室外側で冷媒過多の状態となる。これを避けるためレシーバを備えて、前記レシーバに余剰冷媒を溜め込むことにより、負荷が小さい場合の冷凍サイクルに必要な冷媒量に調整するようになっており、この手段として、レシーバの出入口に電磁弁を設け、これを開閉することによりサイクル冷媒量を調整する方法が提示されている（例えば、特許文献１参照）。
【特許文献１】特開２００２−３９５９８号公報
【発明の開示】
【発明が解決しようとする課題】
【０００３】
しかしながら、上記従来の多室形空気調和機の構成では、レシーバに余剰冷媒を溜めることに依存し、さらに、出入口に電磁弁を用いているため、冷凍サイクルを構成する部品にコストがかかることが課題となっていた。また、従来の構成では、圧縮機の周波数制御を行っているが、これは起動した後の場合であり、低外気温度で冷房運転を開始する場合においては、室外熱交換器内に冷媒が滞留している状態からの起動であるため、１室運転に対応した圧縮機の運転能力では、前記余剰冷媒を室内機へ送るための圧力を十分に得ることができなくなる。したがって、圧縮機の高低差圧が十分に得られなくなり、圧縮機の信頼性低下の原因となるおそれがある上、室内機に適正な冷媒循環量が流れないため、冷凍サイクルが成立しないことが課題となっていた。
【０００４】
本発明は、上記従来の課題を解決し、冷房運転起動時、あるいは冷房運転中に負荷変動が起こった時に、室外機に冷媒が滞留し、サイクル内を循環する冷媒が不足して効率が悪くなることを精度よく検知し、これを回避することができ、安全性に優れた多室形空気調和機を提供することを目的とする。
【課題を解決するための手段】
【０００５】
上記従来の課題を解決するために、本発明の多室形空気調和機は、１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーを備え、冷房運転時、所定の時間が経過した後、前記室外熱交換器の温度と出口温度との差が所定の値以下である場合、一時的に前記圧縮機の周波数を増大させるようにしたもので、室外熱交換器内に一定時間、余剰冷媒を溜め込むことを許容しつつ、室外熱交換器内部に凝縮した液冷媒が完全に溜まりこむことを回避できる。さらに、このため、従来のレシーバに依存して液冷媒を溜めることが不必要となるため、レシーバ、及びその前後にある電磁弁を省くことができ、大幅なコストダウンが実現できる。
【発明の効果】
【０００６】
本発明の多室形空気調和機は、冷房運転起動時、あるいは冷房運転中に負荷変動が起こ
った時に、室外機に冷媒が滞留し、サイクル内を循環する冷媒が不足して効率が悪くなることを精度よく検知し、これを回避することができ、安全性に優れたものである。また、室外熱交換器に一定量の冷媒を包含しながら運転することができるため、レシーバに依存する必要がなくなり、安価に多室形空気調和機を構成することができる。
【発明を実施するための最良の形態】
【０００７】
第１の発明は、１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーを備え、冷房運転時、所定の時間が経過した後、前記室外熱交換器の温度と出口温度との差が所定の値以下である場合、一時的に前記圧縮機の周波数を増大させるようにしたもので、室外熱交換器内に一定時間、余剰冷媒を溜め込むことを許容しつつ、室外熱交換器内部に凝縮した液冷媒が完全に溜まりこむことを回避できる。さらに、このため、従来のレシーバに依存して液冷媒を溜めることが不必要となるため、レシーバ、及びその前後にある電磁弁を省くことができ、大幅なコストダウンが実現できる。
【０００８】
第２の発明は、１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、冷房運転時、低外気温度状態であるかどうかを判断し、液冷媒が溜まりこんでいるかどうかを判断する所定の値を、通常運転時の所定の値と区別して判断し、一時的に前記圧縮機の周波数を増大させるようにしたもので、外気温度が所定の値以下である場合、室外熱交換器の温度と出口温度との差のみによって判断する本発明の構成において、室外側の温度条件が変化しても精度良く液封状態となることを認識させ、それを回避することができる。
【０００９】
第３の発明は、１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、冷房運転時、所定の時間が経過した後、前記室外熱交換器の温度と出口温度との温度差が所定の値以下である場合、前記室外熱交換器の温度と前記出口温度を監視し、これらが両方とも下がり傾向にある場合、一時的に前記圧縮機の周波数を増大させるもので、室外熱交換器の温度と出口温度との差が少なくなっていく状態であるので、室外熱交換器内部に凝縮冷媒が溜まりこんでいく状態であることを事前に判断することができ、それを回避することができる。また、温度変化の動きを監視することにより、一般的に室外熱交換器の中央部に設置される室外熱交換器温度センサー位置は、中央に設置することが必要不可欠ではなくなり、センサー位置の設置自由度を向上、並びに多様な機種において共用させることができるため、安価なコストで室外熱交換器を構成することができる。
【００１０】
第４の発明は、１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、前記室内機のそれぞれは、室内熱交換器と、前記室内熱交換器の温度を検出する室内熱交換器温度センサーと、前記室内熱交換器の出口の温度を検出する室内熱交換器出口温度センサーを備え、冷房運転時、所定の時間が経過し
た後、前記室外熱交換器の温度と室外熱交換器の出口温度との差が所定の値以下であり且つ、前記室内熱交換器の温度と前記室内熱交換器の出口温度との差が所定の値以上である場合、前記室内熱交換器温度と前記室内熱交換器の出口温度の差を監視し、前記温度差が上がり傾向にある場合、一時的に前記圧縮機の周波数を増大させるようにしたもので、室外熱交換器の温度とその出口温度との差が所定の値以下である場合に、室内熱交換器の温度とその出口温度との差が所定の値より大きくなる傾向にある時、すなわち蒸発器として成立しておらず、過熱ガス冷媒のみが流れる状態になりつつあると判断することができ、様々な能力、接続配管長、設置状態が想定される室内機においても冷凍サイクルが成立していない状態を温度センサーの差だけで判断することができるため、安価で、精度良く、液封状態の危険性があることを認識させ、それを回避することができる。
【００１１】
第５の発明は、１台の室外機と、前記室外機に冷媒配管を介して接続された複数の室内機から構成された多室形空気調和機において、前記室外機は、能力可変型の圧縮機と、四方弁と、室外熱交換器と、前記室外熱交換器の温度を検出する室外熱交換器温度センサーと、前記室外熱交換器の出口の温度を検出する室外熱交換器出口温度センサーと、外気温度を検出する外気温度センサーを備え、冷房運転起動時、外気温度が所定の値以下であり、且つ、運転台数と室内負荷から算出される圧縮機周波数が所定の値以下である場合、前記圧縮機の周波数を所定の値より大きい値に補正して起動させるようにしたもので、低外気温度で冷房運転を開始する場合においても、室外熱交換器内に冷媒が滞留している状態からの起動であるため、１室運転に対応した圧縮機の運転能力では前記余剰冷媒を室内機へ送るための圧力を十分に得られずに冷凍サイクルが成立しないことを回避することができる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態における多室形空気調和機の冷凍サイクル図である。
【００１４】
図１において、本実施の形態における多室形空気調和機は、１台の室外機２に対し、複数台（図１では２台）の室内機４ａ、４ｂが、冷媒配管３により接続されて構成されている。
【００１５】
室外機２には、冷媒配管３により順次接続され能力可変型の圧縮機６と、四方弁７と、吐出温度センサー８と、室外熱交換器１０と、冷房あるいは除湿運転時における室外熱交換器１０の冷媒凝縮温度、あるいは暖房運転時における室外熱交換器１０の冷媒蒸発温度を検知する室外熱交換器温度センサー１１と、暖房運転時においては室外熱交換器１０の入口が凍結状態か否かを判別するためであり、冷房運転時においては、室外熱交換器１０の出口の過冷却度を検知する室外熱交換器出口温度センサー１２と、室外膨張弁１３ａ、１３ｂと、外気温度を検知する外気温度センサー９が設けられる一方、各室内機４ａ、４ｂには、冷媒配管３により順次接続された室内熱交換器１４ａ、１４ｂが設けられており、複数台の室内機４ａ、４ｂは、室外機２に対し並列に接続されている。
【００１６】
また、室外機２には、室外熱交換器１０に空気を送る室外ファン１８が設けられており、室内機４ａ、４ｂには、室内熱交換器１４ａ、１４ｂに空気を送る室内ファン２６ａ、２６ｂと、冷房あるいは除湿運転時における室内熱交換器１４ａ、１４ｂの冷媒蒸発温度、あるいは暖房運転時における室内熱交換器１４ａ、１４ｂの冷媒凝縮温度を検知する室内熱交換器温度センサー２８ａ、２８ｂと、冷房運転時における室内機４ａ、４ｂのガス冷媒の温度を検知する室内熱交換器出口温度センサー２９ａ、２９ｂと、室内ファン２６
ａ、２６ｂで吸い込まれる室内温度を検知する室内温度センサー３０ａ、３０ｂが設けられている。
【００１７】
以上のように構成された本実施の形態における多室形空気調和機において、冷房運転時には、冷媒が、図１に示される矢印方向に流れて、圧縮機６から吐出された冷媒が室外機１０を経て室内機４ａ、４ｂに送られる。
【００１８】
冷凍サイクル上での絞り機構は、室外膨張弁１３ａ、１３ｂであり、これを適切な開度にするため、吐出温度センサー８で吐出温度を検知し、全体冷凍サイクルが適正化する開度に調整するとともに、室内熱交換器１４ａ、１４ｂの温度とガス冷媒の温度との差からなる過熱度が所定の値になるように各室内機４ａ、４ｂがそれぞれ制御されている。また、圧縮機６の運転周波数は、各室内機４ａ、４ｂの運転台数と、各室内の設定温度と室内温度センサー３０ａ、３０ｂとの差によって認識される負荷の合計によって決定される。
【００１９】
暖房運転時には、圧縮機６から吐出された冷媒が、室内機４ａ、４ｂを経て室外機１０に送られるように四方弁７が切り換えられる。
【００２０】
次に、多室形空気調和機全体として冷房運転を行っている状態において、室外熱交換器温度と室外熱交換器出口温度を検知する時の動作を図２のフローチャートを参照しながら説明する。
【００２１】
なお、以下では、室内機４ａについて説明しているが、室内機４ｂや図示していない他の室内機において同様の選択がなされた場合も同様の制御が行われる。
【００２２】
まず、室内機４ａが冷房運転を開始した時（ステップＳ１）、吐出温度センサー８と、室外熱交換器温度センサー１１と、室外熱交換器出口温度センサー１２によって温度計測を行なう（ステップＳ２）。
【００２３】
次に、室外熱交換器温度センサー１１と室外熱交換器出口温度センサー１２のそれぞれで検出された温度の差を算出し、所定の値に対しての大小を判断する（ステップＳ３）。所定の時間が経過し、前記温度差が所定の値以下であることが継続している場合、室外熱交換器１０内に冷媒が滞留していると判断し、これを室内機４ａ、４ｂに送り出すため、圧縮機周波数の値を所定の値だけ上乗せし、一定時間、運転する（ステップＳ４）。
【００２４】
これにより、室外機２の室外熱交換器１０内に一定時間、余剰冷媒を溜め込むことを許容しつつ、室外熱交換器１０内部に凝縮した液冷媒が完全に溜まりこむことを回避できる。さらに、このため、従来のレシーバに依存して液冷媒を溜めることが不必要となるため、レシーバ、及びその前後にある電磁弁を省くことができ、大幅なコストダウンが実現できる。
【００２５】
（実施の形態２）
図３は、本発明の第２の実施の形態における多室形空気調和機の動作を示すフローチャートである。なお、上記第１の実施の形態における多室形空気調和機と同一部分には同一符号を付してその説明を省略する。
【００２６】
多室形空気調和機全体として冷房運転を行っている状態において、外気温度を検知する時の動作を図３のフローチャートを参照しながら説明する。
【００２７】
まず、ステップＳ１からステップＳ２までは実施の形態１と同様に作用する。その後、外気温度センサー９により外気温度を検出し、これが所定の値より小さいかどうかを判断
する（ステップＳ３）。この所定の値は、室外ファン１８の回転数を下げることにより、室外熱交換器１０の凝縮能力を再下限にできる範囲よりも外気温度が低いかどうかを予め設定している。この所定の値よりも小さい場合は、室外熱交換器１０内に凝縮冷媒が完全に溜まりこむ危険性があるため、次に、室外熱交換器温度センサー１１と室外熱交換器出口温度センサー１２のそれぞれで検出された温度の差を算出し、所定の値に対しての大小を判断する（ステップＳ４）。
【００２８】
所定の時間が経過し、前記温度差が所定の値以下であることが継続している場合、室外熱交換器１０内に冷媒が滞留していると判断し、これを室内機４ａ、４ｂに送り出すため、圧縮機周波数の値を所定の値だけ上乗せし、一定時間、運転させる（ステップＳ５）。
【００２９】
これにより、外気温度が所定の値以下である場合、室外熱交換器１０の温度と出口温度との差のみによって判断する本実施の形態において、室外側の温度条件が変化しても精度良く液封状態となることを認識させ、それを回避することができる。
【００３０】
（実施の形態３）
図４は、本発明の第３の実施の形態における多室形空気調和機の動作を示すフローチャートである。なお、上記実施の形態における多室形空気調和機と同一部分には同一符号を付してその説明を省略する。
【００３１】
本実施の形態における多室形空気調和機が、全体として冷房運転を行っている状態において、室外熱交換器温度と室外熱交換器出口温度を検知し、これらの温度を所定の回数検知し、比較する時の動作を図４のフローチャートを参照しながら説明する。
【００３２】
まず、ステップＳ１からステップＳ４までは、実施の形態２と同様に作用する。その後、室外熱交換器温度センサー１１と室外熱交換器出口温度センサー１２とで、室外熱交換器温度、室外熱交換器出口温度をそれぞれ検知し、所定の時間間隔と検知回数（ここではｎ回とする）を予め設定しておき、その回数分、前記温度を検知する（ステップＳ５）。
【００３３】
検知した温度のｎ−１回目とｎ回目の各々比較することにより、検知温度が両方とも小さくなる傾向にあるかどうかを判断する（ステップＳ６）。所定の回数の検知した内、検知温度が一度でも大きくなった値が検知された場合は、ステップＳ２に戻り、これを繰り返すが、検知温度が小さくなる傾向にあることが確認できた場合は、室外熱交換器１０内に冷媒が滞留していると判断し、これを室内機４ａ、４ｂに送り出すため、圧縮機周波数の値を所定の値だけ上乗せし、一定時間、運転させる（ステップＳ７）。
【００３４】
これにより、室外熱交換器１０の温度と出口温度との差が小さく、両温度がともに低くなっていく状態であるので、室外熱交換器１０内部に凝縮冷媒が溜まりこんでいく状態であることを事前に判断することができ、それを回避することができる。また、温度変化の動きを監視することにより、一般的に室外熱交換器１０の中央部に設置される室外熱交換器温度センサー１１の位置は、中央に設置することが必要不可欠ではなくなり、室外熱交換器温度センサー１１の取り付け位置の設置自由度を向上、並びに多様な機種において共用させることができるため、安価なコストで室外熱交換器１０を構成することができる。
【００３５】
（実施の形態４）
図５は、本発明の第４の実施の形態における多室形空気調和機の動作を示すフローチャートである。なお、上記実施の形態における多室形空気調和機と同一部分には同一符号を付してその説明を省略する。
【００３６】
本実施の形態における多室形空気調和機が、全体として冷房運転を行っている状態にお
いて、室外熱交換器温度と室外熱交換器出口温度を検知し、さらに室内熱交換器温度と室内熱交換器出口温度を検知し、これらの温度を所定の回数検知し、比較する時の動作を図５のフローチャートを参照しながら説明する。
【００３７】
まず、ステップＳ１からステップＳ４までは実施の形態２と同様に作用する。次に室内熱交換器１４ａの冷媒蒸発温度を検知する室内熱交換器温度センサー２８ａと、蒸発した後に過熱した冷媒の温度を検知する室内熱交換器出口温度センサー２９ａにより、過熱度を算出し、これが所定の値になるよう室外膨張弁１３ａの開度を調整する。この時、室外熱交換器１０内部に凝縮冷媒が滞留し、室内機４ａに冷媒が不足した場合、前記過熱度は大きくなるため、これを調整するには室外膨張弁１３ａを開方向に動作させる（ステップＳ５）が、調整不可能の領域にまで過熱度が大きくなってしまった場合、室外膨張弁１３ａの開動作の上限で固定する動きとなる。室外膨張弁１３ａで調整することが不可能であるかどうかを判断するため、上限で固定した状態であるかどうかを確認し（ステップＳ６）、さらに、前記過熱度が所定の値より大きいかどうかを判断する（ステップＳ７）。
【００３８】
過熱度が所定の値より大きい場合、所定の時間間隔と検知回数（ここではｎ回とする）を予め設定しておき、その回数分、前記室内熱交換器温度と室内熱交出口温度を検知する（ステップＳ８）。検知した温度のｎ−１回目とｎ回目の各々比較することにより、検知温度が両方とも大きくなる傾向にあるかどうかを判断する（ステップＳ９）。
【００３９】
所定の回数検知した内、検知温度が一度でも小さくなった値が検知された場合は、ステップＳ２に戻り、これを繰り返すが、検知温度が大きくなる傾向にあることが確認できた場合は、室外機２に冷媒が滞留することによって、室内機４ａに冷媒が循環していないと判断し、これを室内機４ａに送り出すため、圧縮機周波数の値を所定の値だけ上乗せし、一定時間、運転させる（ステップＳ１０）。
【００４０】
これにより、室外熱交換器の温度とその出口温度との差が所定の値以下である場合に、室内熱交換器の温度とその出口温度との差が所定の値より大きくなる傾向にある時、すなわち室内熱交換機温度センサー２８ａの位置まで冷媒が過熱してしまって、室内熱交換器出口との温度差が出ない状態になる前に、室内機４ａの冷凍サイクルが冷媒不足状態であることを認識させることができるため、様々な能力、接続配管長、設置状態が想定される室内機４ａにおいても、冷凍サイクルが成立していない状態を、温度センサーで検出する温度差だけで判断することができ、安価で、精度良く、液封状態の危険性があることを認識させ、それを回避することができる。
【００４１】
（実施の形態５）
図６は、本発明の第５の実施の形態における多室形空気調和機の動作を示すフローチャートである。なお、上記実施の形態における多室形空気調和機と同一部分には同一符号を付してその説明を省略する。
【００４２】
本実施の形態における多室形空気調和機が、全体として冷房運転を開始する状態において、外気温度を検知し、室内の空調負荷から圧縮機周波数を算出する時の動作を図６のフローチャートを参照しながら説明する。
【００４３】
まず、室内ユニット４ａが冷房運転を開始された時（ステップＳ１）、外気温度センサー９によって外気温度を検出し、さらに室内リモコン（図示せず）によって設定された温度と室内吸込温度センサー３０ａにより検知した室内温度との差によって、室内に必要な要求負荷を算出する（ステップＳ２）。
【００４４】
その後、検出した外気温度が所定の値より小さいかどうかを判断する（ステップＳ３）
。この所定の値は、運転停止時に外気温度が低いことによる自然放熱によって凝縮する冷媒量が、室外熱交換器１０の容量を超えるかどうかによって実験的に決められるため、この値を予め設定している。外気温度が所定の値よりも小さく、さらに、算出された室内機４ａからの要求負荷が所定の値より小さい場合は、室外熱交換器１０内に凝縮冷媒が起動時に既に溜まっている可能性があり、冷媒を室内機４ａに送り出すことができないと判断し（ステップＳ４）、算出した要求負荷に対応する圧縮機周波数に一義的に決められた所定の補正値を上乗せし、一定時間、運転させ（ステップＳ５）、その後、要求負荷に対応する圧縮機周波数に戻す。
【００４５】
これにより、低外気温度の条件で、運転開始前であるため、熱交換器温度に差異がなく、温度センサーによって検出することができない冷房運転起動時においても、室外熱交換器１０内に冷媒が滞留している状態であるかどうかを判断し、１室運転に対応した圧縮機６の運転能力では冷媒を室内機４ａへ送るための圧力を十分に得られずに冷凍サイクルが成立しないことを回避することができる。
【産業上の利用可能性】
【００４６】
以上のように、本発明にかかる多室形空気調和機は、室外熱交換器への冷媒の溜まり込みを、レシーバや電磁弁に依存することなく回避でき、室内機に対して冷媒不足になることなく冷凍サイクルを成立させることができるので、室内機に膨張弁を搭載した業務用、店舗用多室形空気調和機の冷媒流量制御等の用途にも適用できる。
【図面の簡単な説明】
【００４７】
【図１】本発明の実施の形態１における多室形空気調和機の冷凍サイクル図
【図２】同多室形空気調和機の動作を示すフローチャート
【図３】本発明の実施の形態２における多室形空気調和機の動作を示すフローチャート
【図４】本発明の実施の形態３における多室形空気調和機の動作を示すフローチャート
【図５】本発明の実施の形態４における多室形空気調和機の動作を示すフローチャート
【図６】本発明の実施の形態５における多室形空気調和機の動作を示すフローチャート
【符号の説明】
【００４８】
２  室外機
３  冷媒配管
４ａ、４ｂ  室内機
６  圧縮機
７  四方弁
８  吐出温度センサー
９  外気温度センサー
１０  室外熱交換器
１１  室外熱交換器温度センサー
１２  室外熱交換器出口温度センサー
１３ａ、１３ｂ  室外膨張弁
１４ａ、１４ｂ  室内熱交換器
１８  室外ファン
２６ａ、２６ｂ  室内ファン
２８ａ、２８ｂ  室内熱交換器温度センサー
２９ａ、２９ｂ  室内熱交換器出口温度センサー
３０ａ、３０ｂ  室内温度センサー
【図１】
2010101569.tif 000003
【図２】
2010101569.tif 000004
【図３】
2010101569.tif 000005
【図４】
2010101569.tif 000006
【図５】
2010101569.tif 000007
【図６】
2010101569.tif 000008